(57)【要約】      （修正有）【課題】水栓がシールリングに直接に突き当たって生じるシールリングの歪みや変形などによる水漏れなどを防ぐことができる空調用密閉ドレン管を提供する。【解決手段】管体１０、シールリング２０とスナッパー３０を備え、該スナッパーは第一クリップ、第二クリップと固定部を備えてなり、該固定部は第一クリップに設けられ、該第一クリップと第二クリップとの間には、接続部で固定接続され、該第一クリップはスロット内に入り込み、該第二クリップは継手部の一端に張り合うように設けられ、該第二クリップには、開口が設けられて成る空調用密閉ドレン管及びスナッパーである。前記スナッパーは、第一クリップによって、スロット内に固定され、第二クリップが管体一端部に張り合わせるように設けられ、第二クリップにある開口で、外部の水栓４０外側のバリなどが平らに磨かれ、水栓がシールリングへの破損などを低減させる。【選択図】図１
0003209873.tif 000002
【実用新案登録請求の範囲】
【請求項１】
管体と、シールリングと、スナッパーとを備えてなり、
前記シールリングは管体の一端に設けられ、該管体は、管本体部と継手部を備えてなり、該継手部は管本体部の端部に設けられ、該スナッパーは該管本体部の端部の外側にあるスロット内に嵌め込まれ、また、
第一クリップ、第二クリップと固定部を備えてなり、該固定部は第一クリップに設けられ、該第一クリップと第二クリップは平行に設けられ、該第一クリップと第二クリップとの間には、接続部で固定接続され、該第一クリップはスロット内に入り込み、該第二クリップは継手部の一端に張り合うように設けられ、該第二クリップには、開口が設けられていることを特徴とする空調用密閉ドレン管。
【請求項２】
該第一クリップ、第二クリップと固定部は一体化したものであることを特徴とする請求項１に記載の空調用密閉ドレン管。
【請求項３】
該開口の径はシールリングの内径より小さく設けられることを特徴とする請求項１または２に記載の空調用密閉ドレン管。
【請求項４】
該固定部は基部を備えてなり、該基部には嵌込穴、該嵌込穴内にはロック部が設けられ，  該ロック部によって、固定部と水栓を固定接続するように設けられていることを特徴とする請求項１または２に記載の空調用密閉ドレン管。
【請求項５】
該第一クリップ、第二クリップと接続部には嵌込空間が囲まれ、該継手部の端部が嵌込空間内に嵌め込まれることを特徴とする請求項１または２に記載の空調用密閉ドレン管。
【請求項６】
該シールリングは、軟性高分子材料のシールリング、または発泡高分子材料のシールリングであることを特徴とする請求項１または２に記載の空調用密閉ドレン管。
【請求項７】
該シールリングは、ＮＢＲ，  ＥＶＡ，  ＰＥ，  ＰＶＣ，  ＴＰＥまたはＥＰＤＭ材料で作られていることを特徴とする請求項１または２に記載の空調用密閉ドレン管。
【請求項８】
第一クリップ、第二クリップと固定部を備えてなり、該固定部は第一クリップに設けられ、該第一クリップと第二クリップは平行に設けられ、該第一クリップと第二クリップとの間には、接続部で固定接続されていることを特徴とするスナッパー。
【請求項９】
該第一クリップ、第二クリップと固定部は一体化したものであることを特徴とする請求項８に記載のスナッパー。
【請求項１０】
該固定部は基部を備えてなり、該基部には嵌込穴、該嵌込穴にはロック部が設けられていることを特徴とする請求項８に記載のスナッパー。
【考案の詳細な説明】
【技術分野】
【０００１】
本考案は空調設備の技術分野に関わり、特に空調用密閉ドレン管及びスナッパー。
【背景技術】
【０００２】
空調機のドレン管は従来、丸い管継手が使用され、水栓を緊密につなぐため、ドレン管の一端の内壁にシールリング、ドレン管の脱落を防ぐため、  ドレン管の一端の外壁に締め具が設けられ、締め具の締付固定力によって、ドレン管と水栓との間を安定して確実につなぐようになっている。
【考案の概要】
【考案が解決しようとする課題】
【０００３】
しかしながら、ドレン管と水栓を取り付けるとき、水栓の外壁にバリなどがある恐れがあり、ドレン管内には、それに差し込まれた場合、ドレン管内壁のシールリングに破損などが生じてしまい、製品の使用寿命が低下する可能性があり、またドレン管が密封されなくなる可能性もある。
【課題を解決するための手段】
【０００４】
本発明は、上述のような不具合に鑑みてなされたもので、管体と、シールリングと、スナッパーとを備えてなり、該シールリングは管体の一端に設けられ、該管体は、管本体部と継手部を備えてなり、該継手部は管本体部の端部に設けられ、該スナッパーは該管本体部の端部の外側にあるスロット内に嵌め込まれ、第一クリップ、第二クリップと固定部を備えてなり、該固定部は第一クリップに設けられ、該第一クリップと第二クリップは平行に設けられ、該第一クリップと第二クリップとの間には、接続部で固定接続され、該第一クリップはスロット内に入り込み、該第二クリップは継手部の一端に張り合うように設けられ、該第二クリップには、開口が設けられている。
【０００５】
該第一クリップ、第二クリップと固定部は一体化したものである。該開口の径はシールリングの内径より小さく設けられる。該固定部は基部を備えてなり、該基部には嵌込穴、該嵌込穴内にはロック部が設けられ、該ロック部によって、固定部と水栓を固定接続するように設けられている。該第一クリップ、第二クリップと接続部には嵌込空間が囲まれ、該継手部の端部が嵌込空間内に嵌め込まれる。
【０００６】
該シールリングは、軟性高分子材料のシールリング、または発泡高分子材料のシールリングである。該シールリングは、ＮＢＲ，  ＥＶＡ，  ＰＥ，  ＰＶＣ，  ＴＰＥまたはＥＰＤＭ材料で作られている。
【０００７】
第一クリップ、第二クリップと固定部を備えてなり、該固定部は第一クリップに設けられ、該第一クリップと第二クリップは平行に設けられ、該第一クリップと第二クリップとの間には、接続部で固定接続されている。該第一クリップ、第二クリップと固定部は一体化したものである。該固定部は基部を備えてなり、該基部には嵌込穴、該嵌込穴にはロック部が設けられている。
【０００８】
【考案の効果】
【０００９】
上述した内容をまとめると、本考案では、管体一端に設けられるスナッパーは、第一クリップによって、スロット内に固定され、第二クリップが管体一端部に張り合わせるように設けられ、第二クリップにある開口で、外部の水栓外側のバリなどが平らに磨かれるので、水栓によるシールリングの破損などを低減させることができる。また、第二クリップの開口による方向ガイドによって、斜めに差し込まれた水栓は正しい方向に導かれ、水栓が管体方向沿いにシールリング内へと嵌め込まれるので、水栓がシールリングに直接に突き当たって、生じられるシールリングの歪みや変形などによる水漏れなどを防ぐことができる。
【図面の簡単な説明】
【００１０】
【図１】本考案の空調用密閉ドレン管に水栓を組み立てられた断面図である。
【図２】本考案の管体にシールリングを組み立てられた断面図である。
【図３】本考案のスナッパーの断面図である。
【図４】本考案のスナッパーの正面図である。
【図５】本考案の水栓が管体にまっすぐに差し込まれた場合の断面図である。
【図６】本考案の水栓が管体に斜めに差し込まれた場合の断面図である。
【考案を実施するための形態】
【００１１】
次の実施例について、図面を合わせて下記のように説明する。図１〜図６に示すように、管体１０、シールリング２０とスナッパー３０を備えてなる空調用密閉ドレン管であり、該シールリング２０は管体１０の一端に設けられ、該管体１０は、管本体部１１と継手部１２を備えてなり、該継手部１２は管本体部１１の端部に設けられ、該継手部１２の径が管本体部１１の径より大きく設けられ、外部の水栓４０と当接するとき、水栓４０が簡単に継手部１２を通って、管本体部１１の縁部にうまく当接し、管体１０内の水が管体１０へスムーズに流れ込み、水栓４０へ排出されやすいようになり、該継手部１２の外側にスロット１２１があり、該シールリング２０は、継手部１２の内側に張り合わせるように設けられている。
【００１２】
該シールリング２０は、軟質高分子材料または発泡高分子材料が使用されるため、安定性がよく、汚染を起すことなく、通水性、通気性と  耐腐食性などを有する成分であると同時に、空調用密封ドレン管の強度，  引っ張りなどの要求を満たすことができる。
【００１３】
該シールリング２０は、発泡ゴムの高分子材料に属するもので、ＮＢＲ  （ｎｉｔｒｉｌｅ−ｂｕｔａｄｉｅｎｅ  ｒｕｂｂｅｒ，  ニトリルブタジエンゴム）、ＥＶＡ  （ｅｔｈｙｌｅｎｅ−ｖｉｎｙｌ  ａｃｅｔａｔｅ  ｃｏｐｏ，  エチレン酢酸ビニルコポリマー）、ＰＥ  （ポリエチレン）、ＰＶＣ  （Ｐｏｌｙｖｉｎｙｌ  Ｃｈｌｏｒｉｄｅ，  ポリ塩化ビニル）、ＴＰＥ  （Ｔｈｅｒｍｏｐｌａｓｔｉｃ  Ｅｌａｓｔｏｍｅｒ，  熱可塑性エラストマ）、ＥＰＤＭ  （Ｅｔｈｙｌｅｎｅ−Ｐｒｏｐｙｌｅｎｅ−Ｄｉｅｎｅ  Ｍｏｎｏｍｅｒ，  エチレンプロピレンゴム）が使用可能である。
該シールリング２０は、プレスチック、ゴム、またはプラスチックやゴムの混合材料に属してもよく、混合材料で作られたシールリング２０は断熱性、保温性、難燃性、遮音性、防腐性に優れ、品質が向上したものである。
【００１４】
該スナッパー３は、管体１０端部の外側におけるスロット１２１内に嵌め入れられ、該スナッパー３０は、第一クリップ３１、第二クリップ３２と固定部３３を備えてなり、該第一クリップ３１、第二クリップ３２と固定部３３は一体化したもので、該第一クリップ３１と第二クリップ３２は平行に設けられ、該第一クリップ３１と第二クリップ３２との間には、接続部３４で固定接続され、該第一クリップ３１はスロット１２１内に入り込み、該第二クリップ３２は継手部１２の一端に張り合うように設けられ、該第二クリップ３２には丸い開口３２１があり、該開口３２１の径とシールリング２０の内径は寸法が近いが、該開口３２１の径はシールリング２０の内径よりやや小さく設けられ、水栓４０を管体１０に接続するとき、まず、水栓４０を第二クリップ３２と接続して行われるが、水栓４０外側のバリなどが第二クリップ３２に平らに磨かれてから、水栓４０が更にシールリング２０内へと嵌め込まれるようになっており、そうすると、水栓４０のシールリング２０への直接なダメージを与える恐れを有効に低減させ、シールリング２０の使用寿命を向上、その密封性を保証することができる。
【００１５】
該第一クリップ３１、第二クリップ３２と接続部３４には嵌込空間３５に囲まれ、該継手部１２の端部が嵌込空間３５内に嵌め込まれ、スナッパー３０が継手部１２に嵌め込まれたときの安定性が有効に向上する。
【００１６】
第一クリップ３１に設けられた該固定部３３は、基部３３１を備えてなり、該基部３３１には嵌込穴３３２、該嵌込穴３３２内にはロック部が設けられ、該ロック部によって、固定部３３と水栓４０を固定接続し、管体１０と水栓４０が接続している安定性を高め、管体１０と水栓４０が使用時の位置ズレによる密閉性の低下を防ぐことができる。
【００１７】
組立てのとき、まず、シールリング２０を管体１０の端部に設けると同時に、スナッパー３０をスロット１２１内に嵌め込むように行われるが、この時、第一クリップ３１はスロット１２１内に嵌め込まれ、第二クリップ３２は継手部１２の一端に張り合わせ、継手部１２の端部は嵌込空間３５内に嵌め込まれるようになり、それから、外部の水栓４０と管体１０を当接するが、水栓４０が第二クリップ３２の開口３２１を通って、シールリング２０内へと嵌め込まれると同時に、スナッパー３０が固定部３３を通って、水栓４０外側と固定接続されるようになり、管体１０と水栓４０を固定するときの安定性が高められる。
【００１８】
水栓４０と管体１０を平行に当接するとき、水栓４０の外壁がまず第二クリップ３２の開口３２１を通って行われるが、第二クリップ３２の開口３２１によって、水栓４０にあるバリなどが平らに磨かれるようになり、そうすると、水栓４０で、管体１０内部にあるシールリング２０への破損を起したり、製品の密閉性へマイナスな影響を与えたりすることがない。
【００１９】
水栓４０は斜めに管体１０内へ差し込まれたとき、  第二クリップ３２の開口３２１による方向ガイドによって、水栓４０が少しずつ管体１０の方向沿いに、管体１０内へ差し込まれるようになり、  水栓４０がシールリング２０に直接に突き当たって、生じられるシールリング２０の歪みや変形などによる水漏れなどを防ぐことができる。
【００２０】
上述した内容をまとめると、本考案では、管体１０の一端に設けられるスナッパー３０は、第一クリップ３１によって、スロット１２１内に固定され、第二クリップ３２が管体１０一端部に張り合わせるように設けられ、第二クリップ３２にある開口３２１で、外部の水栓４０外側のバリなどが平らに磨かれ、水栓４０がシールリング２０への破損などを低減させることができること、それに、第二クリップの開口３２１による方向ガイドによって、斜めに差し込まれた水栓４０は正しい方向に導かれ、水栓４０が管体１０の方向沿いにシールリング２０内へと嵌め込まれ、水栓４０がシールリング２０に直接に突き当たって、生じられるシールリング２０の歪みや変形などによる水漏れなどを防ぐことができる。
【００２１】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２２】
１０  管体
１１  管本体部
１２  継手部
２０  シールリング
３０  スナッパー
３１  第一クリップ
３２  第二クリップ
３３  固定部
３５  嵌込空間
４０  水栓
３２１  開口
【図１】
0003209873.tif 000003
【図２】
0003209873.tif 000004
【図３】
0003209873.tif 000005
【図４】
0003209873.tif 000006
【図５】
0003209873.tif 000007
【図６】
0003209873.tif 000008